(57)【特許請求の範囲】
【請求項１】
一対の底面と天面を有し，底面と天面をつなぐ４側面を有する被梱包物に対し，前記４側面を囲う４つの緩衝板を連続して一枚で構成し，被梱包物の天面側から見た対角に相当する箇所には，緩衝板の連続方向に形成したスリットと折り曲げ部を設けて，底面支え部と，天面支え部を，緩衝板から，内側に切り起こして形成するとともに，天面支え部の底面支え部側の２辺には，該天面支え部から連続して折り曲げ片を形成して梱包材の破断面による被梱包物の天面の傷を防止するように構成したことを特徴とする梱包材。
【発明の詳細な説明】
【０００１】
【産業上の利用分野】
本件の発明は，梱包材に関わる。
【０００２】
【従来の技術】
従来，例えば，電気器具などについては，第一の方法として個々の被梱包物を個箱内に梱包し，該個箱を何個か外箱に入れてまとめて輸送するか，第二の方法として，外箱内に区画スペーサを入れて，該区画スペーサの個々の区画内に被梱包物を入れて輸送していた。
【０００３】
【発明が解決しようとする課題】
前記第一の方法は，被梱包物ひとつひとつについて外箱からとりだしても個箱で包装されているので，被梱包物に傷やごみがつかないというメリットがある反面，梱包材がかさばり，環境面でも木材の大量使用，廃棄上のごみなどの問題がある。また第二の方法は，梱包材料の使用量の面では，第一の方法に比べ改善されるが，被梱包物を外箱から取り出してしまうと裸の状態となって傷やごみがつきやすいという問題がある。
【０００４】
【本件発明の目的】
そこで，本件発明の目的は，梱包は簡略化して，材料の使用量を低減するとともに，被梱包物ひとつひとつを外箱から取り出しても，傷やごみがつきにくく，意匠面でもすぐれた従来の個箱相当の梱包材を提供しようとするものである。
【０００５】
【課題を解決しようとするための手段】
上述の目的を達成するため本件の発明の請求項１では，一対の底面と天面を有し，底面と天面をつなぐ４側面を有する被梱包物に対し，前記４側面を囲う４つの緩衝板を連続して一枚で構成し，被梱包物の天面側から見た対角に相当する箇所には，緩衝板の連続方向に形成したスリットと折り曲げ部を設けて，底面支え部と，天面支え部を，緩衝板から，内側に切り起こして形成するとともに，天面支え部の底面支え部側の２辺には，該天面支え部から連続して折り曲げ片を形成して梱包材の破断面による被梱包物の天面の傷を防止するように構成したものである。
【０００７】
【作用】
本件発明によれば，一対の底面と天面を有し，底面と天面をつなぐ４側面を有する被梱包物に対し，前記４側面を囲う４つの緩衝板を連続して一枚で構成し，被梱包物の天面側から見た対角に相当する箇所には，底面支え部と，天面支え部を，緩衝板から，切り起こして形成するとともに，天面支え部には，被梱包物の天面側の傷防止の折り曲げ片を支え部から連続して梱包材を形成したので，被梱包物は前記緩衝板で，４側面を覆われるとともに，被梱包物の対角の角部を底面支え部と天面支え部で支えられて，梱包材内に固定されるから，従来の個箱の底面と天面に当たる部分が省略できて，材料の使用量が少なくて済み，省資源となる。
【０００８】
また，従来の個箱同様に，被梱包物は外箱内に収納できるとともに，外箱から取り出しても，側面部は完全に覆われているので，印刷なども側面部にでき，意匠的にも優れている。また，傷ごみもつきにくい。
【０００９】
【実施例の説明】
以下に本件発明を図面を用いて詳細に説明する。
【００１０】
図１に本件発明の梱包材１を示す。図において，１０１〜１０４は，緩衝板で，それぞれが１列に連なっている。１０５は１０１と１０２の緩衝板にまたがる底面支え部，１０６は１０３と１０４の緩衝板にまたがる底面支え部で，それぞれスリット１０７，１０８が設けられている。１０９は１０１と１０２の緩衝板にまたがる天面支え部で，天面支え部１０９の底面支え部１０５側には，折り曲げ片１１０，１１１が連なるように，スリット１１２が設けられている。また，１１３は１０３と１０４の緩衝板にまたがる天面支え部で，天面支え部１１３の底面支え部１０６側には，折り曲げ片１１４，１１５が連なるように，スリット１１６が設けられている。
【００１１】
図２は，図１による梱包材を折り曲げて，実際に被梱包材を梱包する場合の説明図である。
【００１２】
図において，２は被梱包物で，１対の底面２０１と天面２０２を有し，該底面と，天面は４つの側面２０３〜２０６でつながれた形状をしている。一方，梱包材は，被梱包物の４つの側面を覆うように図１の点線部で折り曲げられるが，そのとき，被梱包物を天面側から見たとき，一対の対角に相当する箇所２０７と２０８には，底面支え部１０５と天面支え部１０９，底面支え部１０６と天面支え部１１３が，スリット１０７，１０８，１１２，１１６により，緩衝板から切り離されて，４つの緩衝板１０１〜１０４で囲われる内方に向けて，切り起こされ，前記２０７と２０８の底面と天面を挟持する。
【００１３】
この状態で，被梱包物は，図３のように外箱に複数個並べられて，梱包されるが，天面支え部１０９と１１３には，折り曲げ片が設けられており，折り曲げ片により，梱包材１の破断面による被梱包物の天面の傷が防止されている。
【００１４】
このように構成された梱包材は，従来の個箱に比べ，被梱包物の天面，底面側の材料が省略できるとともに，被梱包物の４側面と天面側に傷が付きにくいという効果がある。
【００１５】
図４は，本件発明の第二の実施例を示す。図４において，梱包材１は，１０１〜１０４の緩衝材の端部を糊などで接続して，筒状に構成したものである。
【００１６】
第二の実施例に被梱包物を梱包するには，底面支え部１０５，１０６，天面支え部１０９，１１３を切り起こす前に，筒状の梱包材の中に，被梱包物２を挿入した後，外側から，底面支え部１０５と１０６，天面支え部１０９と１１３を切り起こして，筒の中に被梱包物を固定する。
【００１７】
このように構成した，第二の実施例によれば，図３のように，外箱内に多数の被梱包材を梱包することもできるし，個別に外箱から取り出しても，被梱包物と梱包材は分離することがなく，従来の個箱と同様に扱える。また，梱包材の外方に印刷しておけば，意匠的にも優れたものとできる。
【００１８】
【発明の効果】
本件発明によれば，一対の底面と天面を有し，底面と天面をつなぐ４側面を有する被梱包物に対し，前記４側面を囲う４つの緩衝板を連続して一枚で構成し，被梱包物の天面側から見た対角に相当する箇所には，底面支え部と，天面支え部を，緩衝板から，切り起こして形成するとともに，天面支え部には，被梱包物の天面側の傷防止の折り曲げ片を支え部から連続して梱包材を形成したので，被梱包物は前記緩衝板で，４側面を覆われるとともに，被梱包物の対角の角部を底面支え部と天面支え部で支えられて，梱包材内に固定されるから，従来の個箱の底面と天面に当たる部分が省略できて，材料の使用量が少なくて済み，省資源となる。
【００１９】
また，従来の個箱同様に，被梱包物は外箱内に収納できるとともに，外箱から取り出しても，側面部は完全に覆われているので，印刷なども側面部にでき，意匠的にも優れている。また，傷ごみもつきにくい。
【図面の簡単な説明】
【図１】  本件発明による梱包材の第一の実施例
【図２】  第一の実施例の使用状態を現す図
【図３】  第一の実施例の使用状態を現す図
【図４】  本件発明による梱包材の第二の実施例
【符号の説明】
１    梱包材
１０１〜１０４  緩衝板
１０５，１０６  底面支え部
１０９，１１３  天面支え部
１１０，１１１，１１４，１１５  折り曲げ片
２    被梱包物
２０１底面
２０２天面
２０３〜２０６側面
２０７，２０８対角部
【図１】
0004346719.tif 000002
【図２】
0004346719.tif 000003
【図３】
0004346719.tif 000004
【図４】
0004346719.tif 000005